(57)【要約】      （修正有）【課題】老人福祉施設等に於いて、お年寄り達の心身活性、身体機能の向上を図るのに好適な遊具を提供する。【解決手段】天井等の任意の固定部１から張った横紐２の中央部３に、ボール６を、縦紐５、及びヨリモドシ具４でつないで構成し、遊具とする。天井等の一点から一本の紐のみで吊るのではなく、天井等に、任意の固定部から引っ張った横紐を介し、その中央部に、縦紐、ヨリモドシ具を用い、ビーチボール等軽量ボールを吊る方法をとった。このような方法には、幾方向にも打たれるボールにより均等な制御を与えるため、おおよそ１２０度など３方向張りの横紐を設定する場合と、横紐を十文字など４方向に張る場合もあるが、通常は、固定部の間で張られる一本の横紐の介在のみで十分である。【選択図】図１
0003171884.tif 000002
【実用新案登録請求の範囲】
【請求項１】
固定部１から張った横紐２、横紐７、横紐８の中央部３に、ヨリモドシ具４を用い、ボール６を縦紐５でつないで構成する、これらを備えた、振り子状に吊ったボールの遊具
【考案の詳細な説明】
【技術分野】
【０００１】  本考案は、主に老人福祉施設等に於いて、お年寄り達の心身活性、ストレス解消、認知症のお年寄りや意欲のないお年寄りのレクリエーションを目的として、下記の考え方に基づいて開発した遊具に関するものである。
（イ）飛んできたボールに反射的に反応する運動は、心身活性の低下がみられるようなお年寄り達に於いても、人間の根源的欲求である、安全欲求に関わる部分であり、生理的欲求と同様に失われておらず、ある程度のスピードで飛んでくるボールには、反射的な動作を誘発され、その繰り返しは、能動的に打ち返そうとするなど、自発的な行動に変わり、参加への意欲が高まっていく。
（ロ）ボールが落ちなければ、ボールを拾いにいくという遊びの中断がなく、リズム感、スピード感などの、スポーツによって得られる爽快感が、椅子に座ったままで体感できる。
（ハ）参加するお年寄りの身体機能の如何、認知症の程度の如何、各個人の意欲の如何に関係なく、上記の体感は、リズムとスピードが緊張感を持続させ、反射神経、および身体機能を多大に活性化させる。
【背景技術】
【０００２】  従来、お年寄り達が使う遊具に於いてはゲーム形式のものが多い。しかし、それら既成のゲームは参加への意欲の程度、身体機能の程度、認知症の程度などによって参加者全員が楽しめるというものは非常に少なく、また施設職員の介助がなければ行えないものがほとんどであった。
みんなが楽しく、自主的に参加し、思わず手を出し、それが活力となって行く、そのような、前項で意図するような遊具はなかった。
【考案の概要】
【考案が解決しようとする課題】
【０００３】  前述の意図に基づく遊具を考えた時、車座になったお年寄り達に行ってもらうことを想定に、その中心にボールを吊り下げ、これを振り子状に打ち合って遊戯してもらうという、振り子ボールともいうべき、軽便な形式の遊具を思いついた。しかし、それをお年寄り達に提供する上に於いては、次のような問題を解決する必要があった。
（イ）打ち合った際に生じるボールのバウンド
（ロ）バウンドに続いて起こる吊り紐のたるみ
（ハ）打ち合いの中での、多方向に揺れ動く振り子軌道の不安定さ
そこで、本考案は、上記の問題を解消することが可能な遊具を提供することを課題とする。
【課題を解決するための手段】
【０００４】  ボールを振り子状に紐で吊る際、天井から、直接一本の紐で吊ったのでは、紐に有効な弾力や伸び縮みがないため、その下のボールを叩けば前述のような不具合を生じる。これを解決するために、天井等の一点から一本の紐のみで吊るのではなく、天井等に、任意の固定部から引っ張った横紐を介し、その中央部に、縦紐、ヨリモドシ具を用い、ビーチボール等軽量ボールを吊る方法をとった。このような方法には、幾方向にも打たれるボールにより均等な制御を与えるため、おおよそ１２０度など３方向張りの横紐を設定する場合と、横紐を十文字など４方向に張る、横紐を設定する場合もあるが、通常は、固定部の間で張られる一本の横紐の介在のみで、問題の解決には十分である。
【考案の効果】
【０００５】  上記の、横紐２を介して吊すという、横紐の緩衝効果を用いる方法により、吊りボールを打ち合う際に生じる不具合は許容の範囲に抑えられるが、この振り子軌道が安定することは、ボールを、車座のお年寄り達の叩きやすい位置へ運んでいくという効果にもなっている。【０００６】  以上のような、遊具を提供するための、前段階の問題を越え、実施した上でのこの遊具の考案効果は、意図したことに沿うものであった。
（イ）ボールを吊って欲しいと、お年寄りの方から要求がある。
（ロ）遊戯が始まると自ら椅子を引っ張って来て、自主参加するお年寄りもいる。
（ハ）元気なお年寄りの中には、普通に打ち返すだけでなく、弧を描くように、ボールの飛んでいく方向をコントロールして楽しんだり、また、前方、後方、斜め前方、斜め後方と、打たれ方によって、様々な方向から飛んでくるボールにあえて手を出そうとはせず、当たらないように身体をよじったり、傾けたり、ボールから逃げて遊ぶことを楽しむ者もいる。
（ニ）声をかけ合い、パスをしたり、長いラリーを楽しむお年寄りもいる。
これらは、楽しむという意味からも、自発的な行動を促すという意味からも、大いに効果的であったが、さらに、もう一つの大きな効果として、遊戯の中、打ち損なったり避け損なったり、お互いが繰り広げるやりとりの可笑しさ等からくる、この遊具が作り出す笑いにある。笑いがもたらす健康は既に広く知られているが、この遊戯が参加者だけでなく、それを見ている周囲の人達まで笑いの輪に包み込み、笑いの輪は笑いの和となり人をひきつけなごませていく、このことは特筆すべき効果である。
【図面の簡単な説明】
【０００７】
【図１】本考案の、横紐一本張りの二箇所固定の側面図である。
【図２】本考案の、横紐一本張りの二箇所固定の斜視図である。
【図３】本考案の、横紐三方向張りの三箇所固定の斜視図である。
【図４】本考案の、横紐十文字張りの四箇所固定の斜視図である。
【考案を実施するための形態】
【０００８】  以下、本考案の実施の形態を図に基づいて説明する。
【実施例１】
【０００９】  図１は、本考案遊具の実施例１の側面図であって、横紐２の固定箇所１の固定方法は任意であり、固定場所も、天井、壁、その他適当な場所である。【００１０】  横紐２と縦紐５の接続部３は、横紐２の中央部が基本であるが多少のズレは問題なく、ヨリモドシ具４は、縦紐５のねじれ防止のために取り付けている。【００１１】  ヨリモドシ具は、繰り返される振り子の動きに耐え得るだけの強度の物が用いられる。【００１２】    ボール６は、普通サイズのビーチボールが基本であるが、その他、身体に当たっても十分に安全な、ビーチボールと同じ程の大きさの軽量のボールも可である。【００１３】  紐２と紐５は同じ紐で良く、強度は、ヨリモドシ具と同様に、ボールの重さに見合った物であり、吊られたボールを持続的に振り子運動させ得るだけの強度の物である。【００１４】  横紐２の長さは、固定する場所の広さにもより、適当な長さであり限定しない。また縦紐５の長さも、振り子運動で、ボール６が打ち手に運ばれた時、打ち手が身体正面上部で、ボールの中心を捕捕らえ、打ち返すのに都合が良いだけの長さを、調節、設定する。
例えば、円周８メートルの車座にお年寄り達が配したとして、横紐の中心から、１．５メールの長さの縦紐で、お年寄り達の、目線の水平線上にボールを吊したとしても、また振り子軌道を考慮し、多少目線の下寄りに吊したとしても、横紐の長さが異なれば、横紐の上下動の違いにより、ボールは必ずしも、お年寄りの打ち返しやすい位置へとは運ばれていかない。つまり、縦紐５の長さは、横紐３の、長さによる上下動の違い、打たれる強さによる上下動の違い、と、ともに、天井の高さ、車座の大きさにも規制され、使用時は、多少の調節、設定が必要であり、ヨリモドシ具との接続部等に於いて、これを行う。【００１５】  図１、図２に於ける、一本の横紐に吊したボールを叩いた時、一本であるために、振り子の動きはダイナミックになる利点はあるが、一方で、横紐に平行方向に打たれた時の振り子の動きは、多少小さく規制され、遊戯過程での均等性にバラツキを生じる。しかし、遊戯中特に問題にはならない。
【実施例２】
【００１６】  図３、図４は、実施例２の斜視図であるが、図３の三方向張り、図４の十文字張りに於いては、特特筆するほどの差異はないが、これらにより同遊戯を行うと、一本の横紐吊りに比して、多方向に打たれる振り子軌道の、より均等性は保たれる。が、この遊戯を軽便に行うという意味に於いては、図１、図２の、一本の横紐吊りで十分である。【００１７】  実施例１、実施例２ともに、この遊具の使用方法は、車座に配したお年寄り達が、対面または斜め対面などに、ボールを配球し合ったり、打ち合ったりする遊戯方式である。
【産業上の利用可能性】
【００１８】  本考案は、目前に飛んできた物を、振り払い、はたき落とし、避けようとする、人間の根源的欲求、安全の欲求を、お年寄り達の運動の誘発などに応用したものであるから、先ずは、老人施設等での利用が期待されるが、他にも、軽便で楽しい遊具として、幼児から成人まで、あらゆる場所でのレクレーションとして活用出来る。尚、以下の利点、特徴は多くのニーズに応えられる。
（イ）吊られたボールは落ちないため、片麻痺の方達も遊戯可能であり、座位のままで楽しむことが出来る。
（ロ）一人で打って楽しむことも出来、二人でも、三人でも、任意の人数で遊ぶことも出来、屋外での使用も可能である。
（ハ）ルールのあるゲームではなく、できるかできないかの条件を考えることなく誰にでも参加を促すことが出来、遊戯の介助や準備に於いても最少限度の労力である。
（ニ）お年寄りの遊具としては、既成の概念を変える、スピード感のある新しい遊具である。
【符号の説明】
【００１９】  １  天井等への横紐２、横紐７、横紐８の任意の固定部
２  固定部１から張った、一本張りの横紐
３  横紐２、横紐７、横紐８と、縦紐５の連結部
４  ヨリモドシ具
５  ボール６をつなぐ縦紐
６  ビーチボール及び軽量で身体に当たっても安全なボール
７  固定部１から張った、三方向張りの横紐
８  固定部１から張った、十文字張りの横紐
【図１】
0003171884.tif 000003
【図２】
0003171884.tif 000004
【図３】
0003171884.tif 000005
【図４】
0003171884.tif 000006
【手続補正書】
【提出日】平成23年8月29日(2011.8.29)
【手続補正１】
【補正対象書類名】実用新案登録請求の範囲
【補正対象項目名】全文
【補正方法】変更
【補正の内容】
【実用新案登録請求の範囲】
【請求項１】
固定部から張った横紐の中央部に、縦紐の一端を連結し、ヨリモドシ具を取り付け、更に、ボールを縦紐のもう一端につないで構成した、振り子状に吊ったボールの遊具。